(57)【要約】【課題】  温度管理が容易で安全性が高いこと。【解決手段】  上面に茶釜挿入口２を形成した風炉本体１を有し、該風炉本体１内に電磁加熱器３からなる加熱手段が配置され、前記風炉本体１が彩色塗装された金属製の矩形箱状に形成され、該風炉本体１の前面に開口部５が形成されると共に、その風炉本体１の両側板１Ｂ，１Ｃ内面に上下複数段のガイドレール６が所定間隔をおいて設けられ、前記電磁加熱器３を載置するためのトレイ７を有しており、その電磁加熱器３を載置したトレイ７を開口部５からいずれかの段のガイドレール６に沿って風炉本体１内に差し込み、茶釜挿入口２から挿入された茶釜４を電磁加熱器３上に載置して加熱する。【選択図】        図１
2010054150.tif 000002
【特許請求の範囲】
【請求項１】
上面に茶釜挿入口を形成した風炉本体を有し、該風炉本体内に電磁加熱器からなる加熱手段が配置されており、茶釜挿入口から挿入された茶釜を電磁加熱器上に載置して加熱することを特徴とする茶道用風炉。
【請求項２】
前記風炉本体が彩色塗装された金属製の矩形箱状に形成され、該風炉本体の前面に開口部が形成されると共に、その風炉本体の両側板内面に上下複数段のガイドレールが所定間隔をおいて設けられ、前記電磁加熱器を載置するためのトレイを有しており、その電磁加熱器を載置したトレイを開口部からいずれかの段のガイドレールに沿って風炉本体内に差し込み、茶釜挿入口から挿入された茶釜を電磁加熱器上に載置して加熱することを特徴とする請求項１に記載の茶道用風炉。
【請求項３】
前記トレイを風炉本体内に差し込んだときにそのトレイを風炉本体に磁気吸引力で係止する磁石装置が設けられ、その磁気吸引力に抗してトレイを風炉本体から引き出すようにしたことを特徴とする請求項２に記載の茶道用風炉。
【請求項４】
前記電磁加熱器のファンに対向してトレイに通気孔が貫設されていることを特徴とする請求項２または３に記載の茶道用風炉。
【発明の詳細な説明】
【技術分野】
【０００１】
本発明は、茶道用風炉に関し、特に、温度管理が容易で安全性が高く体裁の良い茶道用風炉に関するものである。
【背景技術】
【０００２】
従来、茶道用風炉の技術として特許文献１に記載したものがあり、これは、上面に茶釜挿入口を形成した風炉本体を有し、該風炉本体内に加熱手段としてアルコールランプが配置されており、そのアルコールランプに点火し、茶釜挿入口から挿入された茶釜をアルコールランプで加熱して湯を沸かすようになっている。
【特許文献１】実開平０６−２２８０８号公報
【発明の開示】
【発明が解決しようとする課題】
【０００３】
上記従来の構成では、アルコールランプで加熱することから、所望温度（例えば８０°Ｃ）まで加熱するのに時間がかかると共に、その所望温度で湯を沸かし続けることが困難であり、温度管理が難しい。また、風炉本体を誤って傾けたり倒したときに、風袋本体内のアルコールが外部に流失して火災の原因になるおそれがあり、安全性に問題がある。
【０００４】
本発明は、上記従来の欠点に鑑み、温度管理が容易で安全性が高く体裁の良い茶道用風炉を提供することを目的としている。
【課題を解決するための手段】
【０００５】
上記目的を達成するための構成を実施の形態に対応する図面に基づいて説明すると、請求項１に記載の発明は、上面に茶釜挿入口２を形成した風炉本体１を有し、該風炉本体１内に電磁加熱器３からなる加熱手段が配置されており、茶釜挿入口２から挿入された茶釜４を電磁加熱器３上に載置して加熱することを特徴としている。
【０００６】
請求項２に記載の発明は、請求項１に記載の発明において、前記風炉本体１が彩色塗装された金属製の矩形箱状に形成され、該風炉本体１の前面に開口部５が形成されると共に、その風炉本体１の両側板１Ｂ，１Ｃ内面に上下複数段のガイドレール６が所定間隔をおいて設けられ、前記電磁加熱器３を載置するためのトレイ７を有しており、その電磁加熱器３を載置したトレイ７を開口部５からいずれかの段のガイドレール６に沿って風炉本体１内に差し込み、茶釜挿入口２から挿入された茶釜４を電磁加熱器３上に載置して加熱することを特徴としている。
【０００７】
請求項３に記載の発明は、請求項２に記載の発明において、前記トレイ７を風炉本体１内に差し込んだときにそのトレイ７を風炉本体１に磁気吸引力で係止する磁石装置２１が設けられ、その磁気吸引力に抗してトレイ７を風炉本体１から引き出すようにしたことを特徴としている。
【０００８】
請求項４に記載の発明は、請求項２または３に記載の発明において、前記電磁加熱器３のファン３ｂに対向してトレイ７に通気孔２３が貫設されていることを特徴としている。
【発明の効果】
【０００９】
請求項１に記載の発明によれば、茶釜４の加熱手段として火力が大きくて温度制御が容易な電磁加熱器３を用いているから、短時間で所望温度（例えば８０°Ｃ）まで急速加熱することができる共に、その所望温度で湯を沸かし続けることができ、温度管理が容易である。また、火が出ないから、火災の原因になり難く、安全性に優れている。更に、電磁加熱器３の天盤３ａが平らであるから、掃除が容易であり、空気を汚さないという利点もある。
【００１０】
請求項２に記載の発明によれば、風炉本体１が黒色などの所望の彩色で塗装された金属製の矩形箱状を呈するため、極めて体裁が良く。また、背ｈの低い茶釜４の場合には電磁加熱器３を載置したトレイ７を高い段のガイドレール６に沿って風炉本体１内に差し込み、背ｈの高い茶釜４の場合には電磁加熱器３を載置したトレイ７を低い段のガイドレール６に沿って風炉本体１内に差し込むことにより、風炉本体１の上面１ａから上方に露出する茶釜４の高さＨを茶室の雰囲気に合わせて所望通りに調整することができる。
【００１１】
請求項３に記載の発明によれば、風炉本体１内に差し込んだトレイ７が磁石装置２１の磁気吸引力でその風炉本体１に係止されているから、例えば風炉本体１を運ぶときに、該風炉本体１を誤って傾けたとしても、トレイ７が風炉本体１外に不測に飛び出すことがなく、運搬作業を安全容易に行うことができる。また、磁気吸引力に抗して引っ張るだけで、トレイ７を風炉本体１から簡単に引き出すことができる。
【００１２】
請求項４に記載の発明によれば、トレイ７とその上に載置した電磁加熱器３との間の間隙ｅが小さくても、該電磁加熱器３のファン３ｂを回転駆動させることにより、トレイ７の通気孔２３を通って冷却空気が流通されるから、その電磁加熱器３の過熱による性能低下を防ぐことができる。
【発明を実施するための最良の形態】
【００１３】
図１〜図１０は本発明の実施の一形態である茶道用風炉を示すものであって、図１は同斜視図、図２は同横断面図、図３は同水平断面図、図４は同縦断面図、図５は同風炉本体の斜視図、図６は図５のＡ−Ａ矢視図、図７は図５のＢ−Ｂ矢視図、図８は同茶釜、電磁加熱器及びトレイの斜視図、図９は図８のＣ−Ｃ矢視図、図１０は同使用状態の変形例を示す横断面図である。
【００１４】
図１〜図４に示すように、天板１Ａに茶釜挿入口２を形成した風炉本体１を有し、該風炉本体１内に電磁加熱器３が配置され、茶釜挿入口２から挿入された茶釜４を電磁加熱器３上に載置している。
【００１５】
図１〜図７に示すように、前記風炉本体１は、例えばアルミなどの金属板を折り曲げて接合することにより矩形箱状に形成され、且つ光沢のある黒色や茶色などの彩色の焼付け塗装が施され、該風炉本体１の前面に開口部５が形成されると共に、その風炉本体１の両側板１Ｂ，１Ｃの内面に上下複数段（この実施の形態では上下２段）のガイドレール６が所定間隔ｔをおいて設けられ、電磁加熱器３を載置するためのトレイ７を有している。なお、図５中、８は両側板１Ｂ，１Ｃに設けた把手部である。
【００１６】
図５〜び図７に示すように、前記各ガイドレール６は、例えばアルミなどの金属板により成形された角パイプからなり、その上側ガイドレール６が風炉本体１の各側板１Ｂ，１Ｃから後板１Ｄまで延ばされ、その下側ガイドレール６が風炉本体１の各側板１Ｂ，１Ｃと底板１Ｅとの間のコーナ部に沿って後板１Ｄまで延ばされている。また、各ガイドレール６の前端開口部がキャップ９により塞がれている。なお、図５及び図７に示すように、開口部５の上端及び風炉本体１の後板１Ｄと底板１Ｅとの間のコーナ部に金属製角パイプからなる補強桁１０が固着されている。
【００１７】
図８及び図９に示すように、前記トレイ７は、例えばアルミなどの金属板により平面視略四角形に形成されており、前記各段の両ガイドレール６間の間隔ｄ１（図６参照）よりもわずかに狭い間隔ｄ２で平行する金属製角パイプからなる左右一対の縦桁１２がトレイ７の下面両側縁近傍に固着され、該各縦桁１２の前端に当接する金属製角パイプからなる横桁１３がトレイ７の下面前端に固着され、両縦桁１２の後端間及び中央部間に金属製角パイプや金属板からなる補強桁１４が固着され、トレイ７の前端近傍の中央に指部引っ掛け孔１５が貫設されている。なお、横桁１３の両端開口部がキャップ９により塞がれている。
【００１８】
図８に示すように、前記電磁加熱器３は、一般的に卓上ＩＨ調理器と称されるものであって、その前面に、温度表示用液晶ディスプレイ１７ａ、加熱釦１７ｂ、温度調整釦１７ｃ、タイマー釦１７ｄ及び電源オフ釦１７ｅなどの操作部１７が設けられ、図３に示すように、風炉本体１の後板１Ｄの挿通孔１８に挿通した電源コード１９のプラグ１９ａを電磁加熱器３のソケットに接続している。
【００１９】
使用手順を説明すると、図１〜図４に示すように、電磁加熱器３を載置したトレイ７を開口部５から上段（または下段）のガイドレール６に沿って風炉本体１内に差し込み、茶釜挿入口２から挿入された鉄などからなる茶釜４を電磁加熱器３の天盤３ａ上に載置し、操作部１７を操作することにより、湯を沸かす。
【００２０】
上記構成によれば、茶釜４の加熱手段として火力が大きくて温度制御が容易な電磁加熱器３を用いているから、短時間で所望温度（例えば８０°Ｃ）まで急速加熱することができる共に、その所望温度で湯を沸かし続けることができ、温度管理が容易である。また、火が出ないから、火災の原因になり難く、安全性に優れている。更に、電磁加熱器３の天盤３ａが平らであるから、掃除が容易であり、空気を汚さないという利点もある。
【００２１】
また、図１及び図２に示すように、風炉本体１が黒色や茶色などの所望の彩色で塗装された金属製の矩形箱状を呈するため、極めて体裁が良く。また、背ｈの低い茶釜４の場合には電磁加熱器３を載置したトレイ７を上段のガイドレール６に沿って風炉本体１内に差し込み、図１０に実線で示すように、背ｈの高い茶釜４の場合には電磁加熱器３を載置したトレイ７を下段のガイドレール６に沿って風炉本体１内に差し込むことにより、その風炉本体１の上面１ａから上方に露出する茶釜４の高さＨを茶室の雰囲気に合わせて所望通りに調整することができる。
【００２２】
図３、図５及び図８に示すように、トレイ７の上面後端に固着したホルダ２１ａに出退可能に保持されてばね（図示せず）により後方に突出された鉄板からなる磁気吸着板２１ｂと、該磁気吸着板２１ｂに対向して後板１Ｄに固着した上下一対の永久磁石２１ｃとからなる磁石装置２１が設けられており、トレイ７を風炉本体１内に差し込んだときに、磁気吸着板２１ｂが永久磁石２１ｃに磁気吸引力で係止される。
【００２３】
上記構成によれば、図１〜図４に示すように、風炉本体１内に差し込んだトレイ７が磁石装置２１の磁気吸引力でその風炉本体１に係止されているから、例えば風炉本体１を運ぶときに、該風炉本体１を誤って傾けたとしても、トレイ７が風炉本体１外に不測に飛び出すことがなく、運搬作業を安全容易に行うことができる。また、磁気吸引力に抗して引っ張るだけで、トレイ７を風炉本体１から簡単に引き出すことができる（図４仮想線参照）。
【００２４】
図４及び図８に示すように、電磁加熱器３のファン３ｂに対向してトレイ７に多数の通気孔２３が貫設されており、トレイ７とその上に載置した電磁加熱器との間の間隙ｅが小さくても、該電磁加熱器３のファン３ｂを回転駆動させることにより、トレイ７の通気孔２３を通って冷却空気が流通されるから、その電磁加熱器３の過熱による性能低下を防ぐことができる。
【００２５】
上記実施の形態では、ガイドレール６を上下２段設けた風炉本体１を示したが、これに限定されるわけではなく、図１０に仮想線で示すように、風炉本体１の両側板１Ｂ，１Ｃの内周面に上下３段（または４段以上の段）のガイドレール６を所定間隔ｔをおいて設けてもよい。この場合、図１０に実線で示す茶釜４よりも背ｈが高い茶釜４を用いるときに、その茶釜４の高さＨを茶室の雰囲気に合わせて所望通りに調整することができる。
【図面の簡単な説明】
【００２６】
【図１】本発明の実施の一形態である茶道用風炉を示す斜視図である。
【図２】同横断面図である。
【図３】同水平断面図である。
【図４】同縦断面図である。
【図５】同風炉本体の斜視図である。
【図６】図５のＡ−Ａ矢視図である。
【図７】図５のＢ−Ｂ矢視図である。
【図８】同茶釜、電磁加熱器及びトレイの斜視図である。
【図９】図８のＣ−Ｃ矢視図である。
【図１０】同使用状態の変形例を示す横断面図である。
【符号の説明】
【００２７】
１          風炉本体
１Ｂ，１Ｃ  風炉本体の側板
２          茶釜挿入口
３          電磁加熱器
３ｂ        ファン
４          茶釜
５          開口部
６          ガイドレール
７          トレイ
２１        磁石装置
２３        通気孔
【図１】
2010054150.tif 000003
【図２】
2010054150.tif 000004
【図３】
2010054150.tif 000005
【図４】
2010054150.tif 000006
【図５】
2010054150.tif 000007
【図６】
2010054150.tif 000008
【図７】
2010054150.tif 000009
【図８】
2010054150.tif 000010
【図９】
2010054150.tif 000011
【図１０】
2010054150.tif 000012